(57)【要約】【課題】建物の屋根等に設けられる防水遮熱シートにおいて、施工時に太陽光等の反射によって眩しくなるのを防止するとともに、十分な遮熱性を確保する。【解決手段】屋根１（構造体）の防水遮熱シート１０は、防水シート層１１と、遮熱シート層１２と、不織布層１３を備えている。防水シート層１１に遮熱シート層１２が積層されている。遮熱シート層１２は、非通気性であり、その基層１２ａにおける防水シート層１１を向く面には、反射膜１２ｂが被膜されている。不織布層１３は、遮熱シート層１２における、反射膜１２ｂとは反対側の面に積層されている。不織布層１３が上方（屋外）に向くようにして、防水遮熱シート１０を下地材２の上面（屋外側の面）に設置する。【選択図】図１
2014211070.tif 000002
【特許請求の範囲】
【請求項１】
建物における屋外に面する構造体の下地材の屋外側の面に設置される防水遮熱シートであって、
（ａ）防水シート層と、
（ｂ）前記防水シート層に積層され、かつ前記防水シート層を向く面には反射膜が被膜された非通気性の遮熱シート層と、
（ｃ）前記遮熱シート層における、前記反射膜とは反対側に積層され、屋外を向くべき不織布層と
を備えたことを特徴とする防水遮熱シート。
【請求項２】
（ｄ）前記防水シート層における、前記遮熱シート層とは反対側に積層された通気確保層を、更に備え、前記通気確保層には、前記下地材と接すべき通気路が形成されていることを特徴とする請求項１に記載の防水遮熱シート。
【請求項３】
建物における屋外に面する構造体であって、
下地材と、前記下地材の屋外側の面に設置される防水遮熱シートとを備え、
前記防水遮熱シートが、
（ａ）防水シート層と、
（ｂ）前記防水シート層に積層され、かつ前記防水シート層を向く面には反射膜が被膜された非通気性の遮熱シート層と、
（ｃ）前記遮熱シート層における、前記反射膜とは反対側の面に積層された不織布層と
を備え、
前記不織布層が屋外に向けられていることを特徴とする建物の構造体。
【請求項４】
建物における屋外に面する構造体の下地材の屋外側に防水遮熱シートを設置する方法であって、
前記防水遮熱シートが、
（ａ）防水シート層と、
（ｂ）前記防水シート層に積層され、かつ前記防水シート層を向く面には反射膜が被膜された非通気性の遮熱シート層と、
（ｃ）前記遮熱シート層における、前記反射膜とは反対側の面に積層された不織布層と
を備えており、
前記不織布層が屋外に向くようにして、前記防水遮熱シートを前記下地材の屋外側の面に設置することを特徴とする防水遮熱シートの設置方法。
【発明の詳細な説明】
【技術分野】
【０００１】
本発明は、建物の屋根や外壁等の構造体に設けられる防水遮熱シート、及びその設置方法に関する。
【背景技術】
【０００２】
一般に、建物の屋根における瓦やスレート等の屋根葺き材と野地板との間には、合成樹脂製の防水シートが設けられている。防水シートは、釘（ステープルすなわちＵ字状の釘を含む）にて野地板に止められている。したがって、防水シートにおける釘の打ち込み箇所には、打ち込み穴が形成される。この打ち込み穴の内周面と釘の外周面との間の隙間を通して、雨水が下に漏れるおそれがある。そこで、特許文献１においては、防水シートの下側にポリエチレン製の下地シート層が設けられている。この下地シート層の引裂強度及び剥離強度がそれぞれ所定の数値範囲内になるよう設定されている。これによって、下地シート層における打ち込み穴の周辺部が釘の外周面に密着し、雨水の漏れを防止できる。
【０００３】
特許文献２に記載の防水遮熱シートは、不織布と、透湿防水シート層と、遮熱有孔シート層と、眩輝抑制有孔シート層とを下側（裏側）から順次積層してなる。透湿防水シート層は、ポリエチレン製の多孔性フィルムにて構成され、通気性を有している。遮熱有孔シート層は、延伸ポリプロピレン製フィルムにて構成され、その上面（表側の面）には、アルミニウムの蒸着膜からなる反射膜が被膜されている。反射膜は、赤外線等の光を反射する。これによって、防水遮熱シートに遮熱性が付与されている。反射膜の上に眩輝抑制有孔シート層が被さっている。眩輝抑制有孔シート層は、無色透明の樹脂生地に酸化チタン等の遮光粒子を均一に分布させたフィルムである。反射膜付き遮熱有孔シート層及び眩輝抑制有孔シート層には、これらシート層の全体を厚み方向に貫く貫通孔が多数形成されている。上記遮光粒子及び上記貫通孔によって、通気性を確保しつつ、反射膜からの可視光線の反射を低減している。これによって、屋根の施工時に上記可視光線の反射光が眩しくて作業しづらくなるのを防止している。
【先行技術文献】
【特許文献】
【０００４】
【特許文献１】特開２００８−２６１１８８号公報
【特許文献２】特許第４９４４８５２号公報
【発明の概要】
【発明が解決しようとする課題】
【０００５】
上掲特許文献１の下地シート付き防水シートは、遮熱性が考慮されていない。また、上掲特許文献２の防水遮熱シートでは、遮熱有孔シート層の通気用の貫通孔の分だけ反射膜の面積が減り、遮熱性が減損されている。
本発明は、上記事情に鑑み、建物の屋根や外壁等の構造体に設けられて、防水だけでなく遮熱の機能をも担う防水遮熱シートにおいて、施工時に太陽光等の反射によって眩しくなるのを防止するとともに、十分な遮熱性を確保することを目的とする。
【課題を解決するための手段】
【０００６】
本発明に係る防水遮熱シートは、建物における屋根や外壁等の、屋外に面する構造体における、下地材の屋外側の面に設置される防水遮熱シートであって、
（ａ）前記下地材に面すべき防水シート層と、
（ｂ）前記防水シート層に積層され、かつ前記防水シート層を向く面には反射膜が被膜された非通気性の遮熱シート層と、
（ｃ）前記遮熱シート層における、前記反射膜とは反対側に積層され、屋外を向くべき不織布層と
を備えたことを特徴とする。
【０００７】
本発明に係る構造体は、建物における屋外に面する構造体であって、
下地材と、前記下地材の屋外側の面に設置される防水遮熱シートとを備え、
前記防水遮熱シートが、
（ａ）防水シート層と、
（ｂ）前記防水シート層に積層され、かつ前記防水シート層を向く面には反射膜が被膜された非通気性の遮熱シート層と、
（ｃ）前記遮熱シート層における、前記反射膜とは反対側の面に積層された不織布層と
を備え、
前記防水シート層が前記下地材に面し、かつ前記不織布層が屋外に向けられていることを特徴とする。
【０００８】
本発明に係る方法は、建物における屋外に面する構造体の下地材の屋外側に防水遮熱シートを設置する方法であって、
前記防水遮熱シートが、
（ａ）防水シート層と、
（ｂ）前記防水シート層に積層され、かつ前記防水シート層を向く面には反射膜が被膜された非通気性の遮熱シート層と、
（ｃ）前記遮熱シート層における、前記反射膜とは反対側の面に積層された不織布層と
を備えており、
前記防水シート層が前記下地材に面し、かつ前記不織布層が屋外に向くようにして、前記防水遮熱シートを前記下地材の屋外側の面に設置することを特徴とする。
【０００９】
前記防水遮熱シートが、通気確保層を更に備えていることが好ましい。前記通気確保層は、前記防水シート層における、前記遮熱シート層とは反対側に積層される。前記通気確保層には、前記下地材と接すべき通気路が形成されている。
【発明の効果】
【００１０】
本発明の防水遮熱シートによれば、不織布層が表側になるように設置されるから、日光等の入射光を反射膜の手前で不織布層によって吸収したり散乱させたりすることができ、更には反射膜で反射した光をも不織布層によって吸収したり散乱させたりすることができる。これによって、施工時に反射膜からの反射光が眩しくて作業がしづらくなるのを防止できる。また、防水遮熱シート上での作業時に滑りにくくでき、作業性を一層向上できる。不織布層が上掲特許文献２の眩輝抑制有孔シート層の眩輝抑制の役目を兼ねることになるから、特許文献２の防水遮熱シートと比べて部品点数を削減できる。したがって、製品コストを低廉化できるだけでなく、防水遮熱シートの全体の厚みを薄くできるとともに軽量化することができる。さらに、遮熱シート層を非通気性にすることで、遮熱シート層に貫通孔を設ける必要がなく、反射膜の面積を十分に確保でき、赤外線の反射効率を十分に確保できる。ひいては、遮熱性を十分に確保することができる。
【図面の簡単な説明】
【００１１】
【図１】図１は、本発明の第１実施形態を示し、建物の屋根の要部の断面図である。
【図２】図２は、本発明の第２実施形態（固定手段の変形例）を示し、建物の屋根の要部の断面図である。
【図３】図３は、本発明の第３実施形態を示し、建物の屋根の要部の断面図である。
【図４】図４は、上記第３実施形態の通気確保層を下から見た斜視図である。
【図５】図５は、本発明の第４実施形態（通気確保層の変形例）を示し、建物の屋根の要部の断面図である。
【図６】図６は、本発明の第５実施形態（通気確保層の変形例）を示し、建物の屋根の要部の断面図である。
【図７】図７は、本発明の第６実施形態（通気確保層の変形例）を示し、建物の屋根の要部の断面図である。
【図８】図８は、本発明の第７実施形態（通気確保層の変形例）を示し、建物の屋根の要部の断面図である。
【図９】図９は、上記第７実施形態の通気確保層の底面図である。
【図１０】図１０は、本発明の第８実施形態（通気確保層の変形例）を示し、建物の屋根の要部の断面図である。
【図１１】図１１は、上記第８実施形態の通気確保層の斜視図である。
【発明を実施するための形態】
【００１２】
以下、本発明の実施形態を図面にしたがって説明する。
図１は、建物における屋外に面する構造体として、屋根１を示したものである。屋根１は、野地板２と、屋根葺き材３と、防水遮熱シート１０とを備えている。野地板２（下地材）は、例えば木製の平板にて構成されている。野地板２の上面（屋外側の面）に防水遮熱シート１０が設置され、その上方に屋根葺き材３が設置されている。屋根葺き材３は、スレートや瓦等からなり、上記構造体の外装材を構成している。図においては作図の都合上、屋根葺き材３が防水遮熱シート１０から離れて図示されているが、実際の屋根葺き材３は、防水遮熱シート１０と全体的又は部分的に接している。なお、実際も屋根葺き材３が防水遮熱シート１０から離れていてもよい。屋根葺き材３と野地板２との間に防水遮熱シート１０が挟まれている。防水遮熱シート１０は、屋根１の防水性及び遮熱性を確保するためのものである。なお、図において、防水遮熱シート１０の厚みは、野地板２等の厚みに対して誇張されている。
【００１３】
防水遮熱シート１０の構造を詳述する。
防水遮熱シート１０は、防水シート層１１と、遮熱シート層１２と、不織布層１３を備えている。防水シート層１１と遮熱シート層１２と不織布層１３とが下から順に積層されて一体化されている。防水シート層１１と遮熱シート層１２との接合手段は、接着でもよく、溶着でもよい。接着による場合には、防水シート層１１と遮熱シート層１２との間に接着剤層が介在される。溶着による場合には、防水シート層１１と遮熱シート層１２とが直接的に接合される。また、遮熱シート層１２と不織布層１３の接合手段は、接着でもよく、溶着でもよい。接着による場合には、遮熱シート層１２と不織布層１３との間に接着剤層が介在される。溶着による場合には、遮熱シート層１２と不織布層１３とが直接的に接合される。
【００１４】
防水シート層１１は、防水性を有している。つまり、防水シート層１１は、水等の液体を透さない材質にて構成されている。ここでは、防水シート層１１として、無延伸ポリエチレン（ＰＥ）からなる多層フィルムが用いられている。図においては、防水シート層１１が多層である点の図示は省略する。なお、防水シート層１１が単層フィルムにて構成されていてもよい。防水シート層１１は、所要の弾力性を有している。この弾力性によって、防水シート層１１における後記打ち込み穴１９の周辺部が、後記ステープル４の脚部４ａの外周面に弾性的に密着している。防水シート層１１の引き裂き強度及び剥離強度は、上掲特許文献１を参照して設定するのが好ましい。すなわち、遮熱シート層１２に対する防水シート層１１の剥離強度が１Ｎ／１５ｍｍ未満の場合、防水シート層１１の引き裂き強度は１０Ｎ以上であることが好ましく、遮熱シート層１２に対する防水シート層１１の剥離強度が１Ｎ／１５ｍｍ以上の場合、防水シート層１１の引き裂き強度が２０Ｎ以上であること好ましい。
【００１５】
防水シート層１１の上面（屋外側の面）に遮熱シート層１２が積層されている。遮熱シート層１２は、基層１２ａと、反射膜１２ｂを含む。基層１２ａは、非通気性の樹脂フィルムにて構成されている。したがって、遮熱シート層１２は非通気性である。非通気性とは、気体の通り抜け（透過）を殆ど許容しない性質を云う。基層１２ａには、通気のための貫通孔は形成されていない。基層１２ａは、透明であるが、有色であってもよい。基層１２ａの厚みは、例えば２０μｍ〜４０μｍ程度である。基層１２ａの材質としては、ポリオレフィン系樹脂が挙げられ、ここでは無延伸（未延伸）ポリプロピレン（ＣＰＰ）が用いられている。なお、基層１２ａの材質は、ポリプロピレン（ＰＰ）に限定されるものではなく、ポリエチレンなどの他のポリオレフィンであってもよく、さらにはポリオレフィンに限られず、ポリエチレンテレフタレート（ＰＥＴ）等の他の樹脂であってもよい。また、基層１２ａを構成する樹脂は、無延伸（未延伸）樹脂に限られず、延伸樹脂であってもよい。
【００１６】
基層１２ａにおける防水シート層１１を向く面（下面、屋内側の面）には、反射膜１２ｂが一体的に被膜されている。好ましくは、基層１２ａの下面の全域に反射膜１２ｂが被膜されている。基層１２ａに通気用の貫通孔が無いことに対応して、反射膜１２ｂにも通気用の貫通孔が無い。反射膜１２ｂは、アルミニウムの蒸着膜にて構成されている。基層１２ａによって反射膜１２ｂが薄膜形状に保持され、かつ保護されている。反射膜１２ｂは、日光等の光を反射する。特に反射膜１２ｂは、赤外線（熱光線）に対して高い反射性能を有している。反射膜１２ｂの厚みは、例えば０．０３０μｍ〜０．０５０μｍ程度である。なお、反射膜１２ｂの材質は、赤外線等の光を反射する性質を有し、かつ蒸着等によって膜化可能であれば、アルミニウムに限られず、銀、銅、金等のアルミニウム以外の金属であってもよい。反射膜１２ｂとしてアルミニウムを用いることで、軽量化及び低廉化を図ることができる。反射膜１２ｂがアルミ箔等の箔にて構成されていてもよい。
【００１７】
防水遮熱シート１０の最上部には不織布層１３が配置されている。不織布層１３は、遮熱シート層１２における反射膜１２ｂとは反対側（屋外側）の面に積層されている。不織布層１３の材質としては、ポリプロピレン、ポリエチレンテレフタレート、ポリアミド等の樹脂繊維が挙げられる。不織布層１３の目付けは、例えば２０ｇ／ｍ２〜１００ｇ／ｍ２程度である。不織布層１３は、可視光の少なくとも一部を吸収し、かつ可視光の他の少なくとも一部を乱反射する。不織布層１３の色は、白色であるが、これに限られず、黒色、その他の色であっていてもよく、透明であってもよい。さらに不織布層１３は、クッション性や通気性を有している。
【００１８】
屋根１において、防水遮熱シート１０は、野地板２の上側（屋外側）の面に設置されている。詳細な図示は省略するが、防水遮熱シート１０は、屋根１のほぼ全域にわたって敷き詰められ、野地板２のほぼ全体を覆っている。防水遮熱シート１０の防水シート層１１が野地板２に面し、かつ不織布層１３が屋外（上側）に向けられている。防水遮熱シート１０全体の厚み（層１１，１２，１３の合計厚み）は、例えば２００μｍ〜９５０μｍ程度である。
【００１９】
防水遮熱シート１０の固定手段として、ステープル４が用いられている。ステープル４は、Ｕ字状の釘であり、その一対の脚部４ａ，４ａが、防水遮熱シート１０を貫通して野地板２に打ち込まれている。ステープル４によって、防水遮熱シート１０が野地板２に固定されている。防水遮熱シート１０における脚部４ａに対応する箇所には、脚部４ａの打ち込みに伴なって、打ち込み穴１９が形成されている。打ち込み穴１９は、防水遮熱シート１０の各層１３，１２，１１を厚み方向（上下）に貫いている。打ち込み穴１９の内部に脚部４ａの一部分が収容されている。なお、図１において、防水遮熱シート１０の厚みは、ステープル４の大きさ（長さ及び太さ）に対して誇張されている。
【００２０】
屋根１の構築方法を、防水遮熱シート１０の野地板２への設置方法を中心に説明する。
野地板２を敷設した後、野地板２の上面に防水遮熱シート１０を配置する。このとき、不織布層１３を上方（屋外側）に向けて、防水シート層１１が野地板２に面するようにする。次に、防水遮熱シート１０の上からステープル４を、例えばガンタッカー（図示省略）にて打ち付ける。これによって、脚部４ａが、打ち込み穴１９を形成しながら防水遮熱シート１０を貫通して、野地板２に打ち込まれる。これによって、防水遮熱シート１０を野地板２に固定できる。このとき、防水遮熱シート１０の各層１１〜１３のうち、特に防水シート層１１における打ち込み穴１９の周辺部は、脚部４ａの打ち込みによって圧縮されたり下方へ曲げられたりすることで、脚部４ａの外周面に弾性的に密着する。なお、打ち込み工具として、ガンタッカーに代えて、ハンマー等を用いてもよい。
【００２１】
不織布層１３はクッション性を有しているから、上記打ち込み時の衝撃を緩和することができる。しかも、不織布層１３を上に向けたことで、ガンタッカーの先端部が不織布層１３に接するか、又は不織布層１３に面することになるから、上記打ち込み時の衝撃を不織布層１３によって直接的に吸収することができる。
【００２２】
さらに、不織布層１３を上向きに配置したことによって、防水遮熱シート１０上で作業する際、作業者の靴や着衣と防水遮熱シート１０との間の摩擦抵抗を大きくできる。したがって、作業者が滑りにくくすることができ、作業性を向上できる。
【００２３】
加えて、日光等の入射光のうち可視光は、遮熱シート層１２の手前で、不織布層１３によって吸収されたり散乱（乱反射）されたりする。したがって、上記可視光のうち、基層１２ａを透過して反射膜１２ｂに達する光を低減できる。さらに、反射膜１２ｂで反射した光は、不織布層１３によって再び散乱されたり吸収されたりする。これによって、特に晴天時において、防水遮熱シート１０からの反射光が眩し過ぎて作業性が損なわれるのを防止できる。また、サングラスを着用しなくても済む。この結果、上記衝撃吸収効果や上記滑り防止効果と相俟って、作業性を一層向上できる。また、不織布層１３が上掲特許文献２の眩輝抑制有孔シート層の眩輝抑制の役目を兼ねることになるから、眩輝抑制有孔シート層は不要である。したがって、特許文献２の防水遮熱シートと比べて部品点数を削減でき、製品コストを低廉化できるだけでなく、防水遮熱シート１０の全体の厚みを薄くでき、更には防水遮熱シート１０の単位面積当たりの重さを軽量化することができる。
【００２４】
防水遮熱シート１０は、野地板２のほぼ全域ひいては屋根１のほぼ全域にわたって敷設する。ある大きさの防水遮熱シート１０を複数枚用意し、これら防水遮熱シート１０を屋根１の棟木方向及び垂木方向に並べて敷き詰めてもよい。
防水遮熱シート１０を野地板２上に敷設後、屋根葺き材３を防水遮熱シート１０上に設置する。これによって、防水遮熱シート１０が屋根葺き材３にて覆われる。
【００２５】
上記のようにして構築された屋根１において、防水遮熱シート１０は、屋根１の防水性能及び遮熱性能を担う。
防水遮熱シート１０の防水性能（止水性能）は、防水遮熱シート１０の各構成部材のうち主に防水シート層１１が担っている。すなわち、雨水等の液体が屋根葺き材３から防水遮熱シート１０上に漏れたとしても、防水シート層１１が防水性を有しているために、上記液体が防水遮熱シート１０の下方へ漏れるのを防止できる。また、防水シート層１１における打ち込み穴１９の周辺部が、脚部４ａの外周面に弾性的に密着することで、打ち込み穴１９の内周面と脚部４ａの外周面との間がシールされているため、上記液体が、打ち込み穴１９の内周面と脚部４ａの外周面との間を通って防水遮熱シート１０の下方へ漏れるのを防止できる。したがって、ステープル４によって防水シート層１１の防水性能が損なわれるのを防止できる。
【００２６】
遮熱性能に関して、日光等の光のうち赤外線は、屋根葺き材３を透過して防水遮熱シート１０に入射する。この入射赤外線は、不織布層１３及び基層１２ａを透過して、反射膜１２ｂにおいて反射させられる。この反射赤外線は、基層１２ａ及び不織布層１３を透過し、更に屋根葺き材３を透過して屋外へ放射される。これによって、赤外線が、室内に入射したり屋根１の構成部材に吸収されたりするのを防止又は抑制できる。ひいては、室内が上記赤外線によって過度に高温になるのを防止又は抑制できる。遮熱シート層１２が非通気性であり、通気用の貫通孔が形成されていない分だけ、反射膜１２ｂの表面積を確保でき、それだけ赤外線の反射効率を向上させることができる。
【００２７】
次に、本発明の他の実施形態を説明する。以下の実施形態において、既述の形態と重複する構成ないしは対応する構成に関しては、図面に同一符号を付して説明を適宜省略する。
図２は、本発明の第２実施形態を示したものである。第２実施形態は、防水遮熱シート１０の野地板２への固定手段の変形例に係る。この変形例では、固定手段として、ステープル４に代えて、釘４Ｂが用いられている。釘４Ｂの脚部の外周面は滑らかであってもよく、該外周面にネジが形成されていてもよい。釘４Ｂは、防水遮熱シート１０の各層１３，１２，１１を貫通し、野地板２に打ち込まれている。防水遮熱シート１０には、釘４Ｂの打ち込みによって打ち込み穴１９が形成されている。この態様においても、防水シート層１１における打ち込み穴１９の周辺部が釘４Ｂの外周面に弾性的に密着し、防水性が確保されている。なお、図２において、防水遮熱シート１０の厚みは、釘４Ｂの大きさ（長さ及び太さ）に対して誇張されている。
【００２８】
図３及び図４は、本発明の第３実施形態を示したものである。図３に示すように、第３実施形態の防水遮熱シート１０は、通気確保層２０を更に備えている。通気確保層２０は、フィルム、ないしはシート、ないしは板状体にて構成されている。図３において、通気確保層２０の厚みは、防水シート層１１の厚みよりも小さいが、通気確保層２０が、防水シート層１１と同程度の厚み又は防水シート層１１よりも厚肉であってもよく、凹部２２の深さ及び凸部２１の高さが、防水シート層１１の厚み以上であってもよい。通気確保層２０の材質は、例えばポリエチレンやポリプロピレン等のポリオレフィン系樹脂であるが、それ以外の樹脂であってもよい。この通気確保層２０が、防水シート層１１の下側（遮熱シート層１２とは反対側）に積層されている。つまり、防水シート層１１と野地板２との間に通気確保層２０が介在され、通気確保層２０が野地板２と当接している。ステープル４の脚部４ａが、通気確保層２０をも貫通している。防水シート層１１と通気確保層２０とは、接着又は溶着などにて接合されている。通気確保層２０をポリオレフィン系樹脂にて構成することによって、通気確保層２０を安価にできるとともに、ポリエチレン製の防水シート層１１と通気確保層２０との接合を容易化できる。
【００２９】
通気確保層２０は、通気路２９を有している。詳述すると、図３及び図４に示すように、通気確保層２０の下面（防水シート層１１とは反対側の面）は、複数の凸部２１と、複数の凹部２２を含む。これら凹部２２及び凸部２１は、通気確保層２０の全域にわたって均一に、かつ交互に、かつ連続して配置されている。図３に示すように、各凸部２１の下端部（突出端部）が野地板２に当たっている。凹部２２の内部空間が、通気路２９を構成している。通気路２９は、野地板２と接している。つまり、通気路２９の底部が野地板２によって塞がれている。野地板２の上面が通気路２９の底面を構成している。
【００３０】
なお、通気確保層２０が防水シート層１１よりも厚肉であって、凸部２１の高さ、及び凹部２２ひいては通気路２９の深さが、防水シート層１１の厚みよりも大きくてもよい。また、通気路２９の幅（図３において左右方向の寸法）が、ステープル４の幅と同程度又はステープル４の幅より大きくてもよい。
【００３１】
図３及び図４に示すように、凸部２１及び凹部２２、ひいては通気路２９は、図３において紙面と直交する方向に通気確保層２０の一端から他端まで延びている。通気路２９の一端が通気確保層２０の一端面に達して開口し、かつ通気路２９の他端が通気確保層２０の他端面に達して開口している。好ましくは、凸部２１及び凹部２２ひいては通気路２９の延び方向は、屋根１の垂木方向（傾斜方向）に向けられている。この延び方向と直交する通気確保層２０の断面は、凸部２１と凹部２２が交互に並ぶことで、波形状になっている。
【００３２】
なお、各凸部２１は、スポット状（半球状、円錐状等）であってもよい。スポット状の凸部２１が、通気確保層２０の下面の全域に分散して配置されていてもよい。この場合、隣接する凸部２１，２１どうし間の隙間が、他の隣接する凸部２１，２１どうし間の隙間と連なり、通気確保層２０の全体で１つの通気路２９が形成される。
【００３３】
第３実施形態によれば、通気路２９内において通気することができる。つまりは、野地板２の上面に空気が接し、この空気が野地板２上を通気路２９の延び方向に沿って流れることができる。これによって、防水遮熱シート１０と野地板２との間に結露が発生するのを抑えることができる。たとえ、通気路２９内で結露が発生したり、雨水が侵入したりすることで、野地板２の上面や凹部２２の内面に水滴が付いたとしても、その後、環境温度が露点を上回れば、水滴が蒸発して水蒸気になる。そして、通気路２９内の空気の流れによって上記水蒸気を外部に導出することができる。通気路２９の延び方向を屋根１の垂木方向に向けることで、通気路２９内に屋根１の勾配に沿う上昇気流を形成でき、水蒸気を確実に外部に出すことができる。これによって、野地板２を乾燥させることができる。言い換えると、野地板２が常時濡れた状態ないしは湿った状態になるのを避けることができる。この結果、野地板２の腐蝕を抑えることができる。
【００３４】
図５は、本発明の第４実施形態を示したものである。第４実施形態は、通気確保層の変形例に係り、通気確保層が防水シート層１１と一体になっている。すなわち、防水シート層１１の下面（野地板２側の面）には、第３実施形態（図３）の凸部２１及び凹部２２と同様の凸部１１ｃ及び凹部１１ｄが形成されている。凹部１１ｄの内部空間が、通気路１１ｅを構成している。通気路１１ｅは、野地板２と接している。したがって、防水シート層１１の下側部分が、通気確保層を構成している。第４実施形態によれば、防水シート層１１が通気確保層を兼ねるから、第３実施形態（図３）と同様に、野地板２から水分を蒸発させて、野地板２の腐蝕を抑えることができるとともに、第３実施形態（図３）よりも部品点数を削減でき、製品コストを低減できる。
【００３５】
図６は、本発明の第５実施形態を示したものである。第５実施形態は、通気確保層の変形例に係る。第５実施形態の通気確保層３０は、発泡樹脂製のシートにて構成されている。通気確保層３０の材質は、例えば発泡ポリエチレン等の発泡ポリオレフィン系樹脂であるが、発泡ウレタン等であってもよい。したがって、通気確保層３０はクッション性（衝撃吸収能力）を有している。通気確保層３０内の気泡は、独立気泡でもよく、連続気泡でもよい。図６において、通気確保層３０の厚みは、防水シート層１１の厚みよりも小さいが、通気確保層３０が防水シート層１１と同程度の厚み又は防水シート層１１よりも厚肉であってもよい。
【００３６】
通気確保層３０の上下両面には、それぞれ複数の凸部３１及び凹部３２が形成されている。上側の凸部３１の上端部（突出端部）が、防水シート層１１と接着又は溶着などにて接合されている。下側の凸部３１の下端部（突出端部）は、野地板２に当たっている。ステープル４の脚部４ａが、通気確保層３０をも貫通している。
【００３７】
上側の凹部３２の内部空間が、通気路３８を構成している。通気路３８は、防水シート層１１と接している。つまり、通気路３８の上部が防水シート層１１によって塞がれている。防水シート層１１の下面が通気路３８の上面部を構成している。下側の凹部３２の内部空間が、通気路３９を構成している。通気路３９は、野地板２と接している。つまり、通気路３９の底部が野地板２によって塞がれている。野地板２の上面が通気路３９の底面を構成している。
【００３８】
なお、通気確保層３０が防水シート層１１よりも厚肉であって、凸部３１の高さ、及び凹部３２ひいては通気路３８，３９の深さが、防水シート層１１の厚みよりも大きくてもよい。また、通気路３８，３９の幅（図６において左右方向の寸法）が、ステープル４の幅と同程度又はステープル４の幅より大きくてもよい。
【００３９】
詳細な図示は省略するが、凸部３１及び凹部３２、ひいては通気路３９は、図６において紙面と直交する方向に通気確保層３０の一端から他端まで延びている。通気路３９の一端が通気確保層３０の一端面に達して開口し、かつ通気路３９の他端が通気確保層３０の他端面に達して開口している。好ましくは、凸部３１及び凹部３２ひいては通気路３９の延び方向は、屋根１の垂木方向（傾斜方向）に向けられている。この延び方向と直交する通気確保層３０の断面は、凸部３１と凹部３２が交互に並ぶことで、波形状になっている。
【００４０】
第５実施形態では、通気路３９内での通気によって野地板２を乾燥させることができるだけでなく、通気路３８内でも通気することができる。
また、ステープル４の打ち込み時の衝撃を、不織布１３に加えて通気確保層３０のクッション性によっても緩和することができる。
【００４１】
図７は、本発明の第６実施形態を示したものである。第６実施形態は、通気確保層の変形例に係る。第６実施形態の通気確保層４０は、いわゆるプラダン（プラスチック製段ボール）にて構成されている。すなわち、通気確保層４０は、２枚のシート４３，４３を有している。これらシート４３，４３の材質は、例えばポリエチレン、ポリプロピレン等のポリオレフィン系樹脂であるが、その他の樹脂であってもよい。２枚のシート４３，４３が厚み方向（上下）にある間隔を隔てて対向して配置され、かつ複数の隔壁４４を介して互いにくっ付けられて一体化されている。上側のシート４３が、防水シート層１１と接着又は溶着などにて接合されている。下側のシート４３が、野地板２に当たっている。ステープル４の脚部４ａが、通気確保層４０をも貫通している。
【００４２】
なお、図７においては、通気確保層４０の厚み（上側のシート４３の上面から下側のシート４３の下面までの距離）は、防水シート層１１の厚みよりも小さいが、通気確保層４０が防水シート層１１と同程度の厚み又は防水シート層１１よりも厚肉であってもよい。
【００４３】
隔壁４４は、図７の紙面と直交する方向に通気確保層４０の全長にわたって延びている。複数の隔壁４４が、各々の延び方向と直交する方向（図７の左右）に等間隔置きに並べられている。これら隔壁４４によって、２枚のシート４３，４３どうし間の空間が複数の通気路４７に仕切られている。詳細な図示は省略するが、通気路４７は、図７の紙面と直交する方向に通気確保層４０の一端から他端まで延びている。通気路４７の一端が通気確保層４０の一端面に達して開口し、かつ通気路４７の他端が通気確保層４０の他端面に達して開口している。
【００４４】
上下の各シート４３における各隔壁４４と対応する箇所は、他方のシート４３に向けて凹んでいる。これによって、通気確保層４０の上下両面にそれぞれ複数の凹部４２が形成されている。上側の凹部４２の内部空間が、通気路４８を構成している。通気路４８は、防水シート層１１と接している。つまり、通気路４８の上部が防水シート層１１によって塞がれている。防水シート層１１の下面が通気路４８の上面部を構成している。通気確保層４０の下面の凹部４２の内部空間が、通気路４９を構成している。通気路４９は、野地板２と接している。つまり、通気路４９の底部が野地板２によって塞がれている。野地板２の上面が通気路４９の底面を構成している。詳細な図示は省略するが、各通気路４８，４９は、図７の紙面と直交する方向に通気確保層４０の一端から他端まで延びている。通気路４８，４９の一端が通気確保層４０の一端面に達して開口し、かつ通気路４８，４９の他端が通気確保層４０の他端面に達して開口している。通気路４８，４９，４７の延び方向は、好ましくは、屋根１の垂木方向（傾斜方向）に向けられている。
【００４５】
なお、通気確保層４０が防水シート層１１よりも厚肉であって、通気路４７の厚み（図７において上下方向の寸法）が、防水シート層１１の厚み以上であってもよく、さらには通気路４８，４９の厚み（図７において上下方向の寸法）が、防水シート層１１の厚み以上であってもよい。また、通気路４７の幅（図７において左右方向の寸法）が、ステープル４の幅と同程度又はステープル４の幅より大きくてもよい。さらに、通気路４８，４９の幅（図７において左右方向の寸法）が、ステープル４の幅と同程度又はステープル４の幅より大きくてもよい。
【００４６】
第６実施形態では、野路板２上の通気路４９内での通気によって野地板２を乾燥させることができるだけでなく、通気路４８内及び通気路４７内でも通気することができる。
【００４７】
図８及び図９は、本発明の第７実施形態を示したものである。第７実施形態は、通気確保層の変形例に係る。第７実施形態の通気確保層５０は、気泡緩衝シートにて構成されている。通気確保層５０の材質は、例えばポリエチレン等のポリオレフィン系の軟質樹脂であるが、その他の樹脂であってもよい。通気確保層５０の片側の面（下面）には、多数（複数）の突起５１が形成されている。各突起５１は、高さが直径よりも小さい円柱状になっており、その内部に空気等のガスが封入されている。図９に示すように、多数の突起５１が、通気確保層５０の全域に均一に分散して、かつ互いに離間して配置されている。通気確保層５０の上記突起５１とは反対側の面（上面）は平らになっている。
【００４８】
図８に示すように、通気確保層５０は、突起５１が下向きになるようにして野地板２上に設置されている。通気確保層５０の平らな上面が、防水シート層１１と接着又は溶着などにて接合されている。突起５１の下端部（突出端部）が、野地板２に当たっている。ステープル４が、通気確保層５０をも貫通している。なお、図８においては、通気確保層５０の厚みは、防水シート層１１の厚みよりも小さいが、通気確保層５０が防水シート層１１と同程度の厚み又は防水シート層１１よりも厚肉であってもよい。
【００４９】
通気確保層５０における多数の突起５１どうしの間の空間が、通気路５９を構成している。通気路５９は、通気確保層５０の全域に亘ってひと連なりになっている。通気路５９の周端部が、通気確保層５０の周端面に達して開口している。通気路５９は、野路材２と接している。つまり、通気路５９の底部が野地板２によって塞がれている。野地板２の上面が通気路５９の底面を構成している。
【００５０】
なお、突起５１の突出高さ（図６において上下方向の寸法）ひいては通気路５９の厚みが、防水シート層１１の厚み以上であってもよい。また、突起５１の直径が、ステープル４の幅と同程度又はステープル４の幅より大きくてもよい。
【００５１】
図９の破線に示すように、第７実施形態では、空気が、突起５１の間を縫うようにして、通気路５９内を流れることができる。これによって、野地板２を乾燥させることができる。
また、ステープル４の打ち込み時の衝撃を、不織布１３に加えて通気確保層５０のクッション性によっても緩和することができる。
【００５２】
図１０及び図１１は、本発明の第８実施形態を示したものである。第８実施形態は、通気確保層の変形例に係る。第８実施形態の通気確保層６０は、網状体にて構成されている。すなわち、通気確保層６０は、多数の線状体６５を含む。これら線状体６５が、規則的又はランダムに編まれている。通気確保層６０の編み目６９ｃは、比較的粗く、少なくとも不織布１３よりも粗い。線状体６５の材質は、例えばポリエチレン等のポリオレフィン系の樹脂であるが、その他の樹脂であってもよい。さらに、通気確保層６０の全体が波形状になっている。詳しくは、通気確保層６０は、上に凸の部分６６と下に凸の部分６７とをそれぞれ多数含む。これら凸部分６６，６７が、縦横の両方向に互いに交互に並んで配置されている。図１０に示すように、上に凸の部分６６が、防水シート層１１と接着又は溶着などにて接合されている。下に凸の部分６７が、野地板２に当たっている。ステープル４が、通気確保層６０をも貫通している。
【００５３】
なお、凸部分６６，６７が、縦横のうち一方向（図１０において左右）にだけ交互に並ぶことで、図１０の紙面と直交する方向から見て、通気確保層１０が波形状になり、かつ各凸部分６６，６７が、図１０の紙面と直交する方向に延びていてもよい。この場合、凸部分６６，６７の上記延び方向（図１０の紙面と直交する方向）が、垂木方向を向いていることが好ましい。
【００５４】
図１０に示すように、通気確保層６０によって、防水シート層１１と野地板２との間に通気路６９が形成されている。通気路６９は、上に凸の部分６６と野地板２との間の空間６９ａと、下に凸の部分６７と野地板２との間の空間６９ｂと、線状体６５どうし間の編み目６９ｃを含む。通気路６９の上部が、防水シート層１１と接し、防水シート層１１にて塞がれている。つまり、防水シート層１１の下面が、通気路６９の上面を構成している。通気路６９の底部が、野地板２と接し、野地板２にて塞がれている。つまり、野地板２の上面が、通気路６９の底面を構成している。通気路６９は、通気確保層６０の全域に行き渡っており、好ましくは通気確保層６０の全域に亘ってひと連なりになっている。通気路３９の周端部が、通気確保層５０の周端面に達して開口している。
【００５５】
第８実施形態によれば、通気路６９によって、野地板２上に通気を形成できる。通気確保層６０の編み目を粗くすることで、通気路６９に結露が溜まるのを防止又は抑制でき、ひいては通気路６９が水で詰まるのを防止又は抑制できる。これによって、野路板２を乾燥させ易くすることができる。
【００５６】
本発明は、上記実施形態に限定されるものではなく、その趣旨の範囲内で種々の改変をなすことができる。
例えば、建物における屋外に面する構造体は、屋根１に限られず、外壁であってもよい。この場合、外壁の下地材の屋外側の面に防水遮熱シート１０を設置し、この防水遮熱シート１０の屋外側に外壁材（外装材）を設置する。上記防水遮熱シート１０は、その不織布層１３を屋外に向け、防水シート層１１又は通気確保層２０〜２０を下地材に向ける。
防水遮蔽シート１０の全体が波形状になっていてもよい。詳しくは、防水遮蔽シート１０が、上に凸の部分と下に凸の部分とをそれぞれ多数含み、これら上に凸の部分及び下に凸の部分が、縦横の両方向に互いに交互に並んで配置されていてもよい。或いは、防水遮蔽シート１０の上に凸の部分と下に凸の部分が、縦横のうち一方向にだけ交互に並び、かつ、これら上に凸の部分及び下に凸の部分が、縦横のうち他方の方向に真っ直ぐ延びていてもよい。
複数の実施形態の独自構成を互いに組み合わせてもよい。例えば、第３〜第８実施形態（図３〜図１０）では、防水遮熱シート１０の固定手段として、第１実施形態（図１）と同様のステープル４が用いられているが、第２実施形態（図２）と同様の釘４Ｂを用いてもよい。
【実施例１】
【００５７】
実施例を説明する。なお、本発明は以下の実施形態に限定されるものではない。
実施例では、図１と実質同じ構造の防水遮熱シート１０について、その止水性能を調べた。
防水遮熱シート１０の防水シート層１１は、厚み１１５μｍの多層ポリエチレンフィルムであった。遮熱シート層１２の基層１２ａは、無延伸ポリプロピレンであった。反射膜１２ｂは、アルミニウムの蒸着膜であった。不織布層１３はポリプロピレン繊維製であった。
この防水遮熱シート１０を野地板２に相当する杉製板にステープル４で打ち付けた。ステープル４は、防水遮熱シート１０の縦横それぞれ５０ｍｍ間隔で格子点状に２５カ所に配置した。
ステープル４として、マックス株式会社製のステープルＴ３−１０ＭＢを用いた。ガンタッカーとして、マックス株式会社製ＴＧ−Ａを用いた。
上記防水遮熱シート１０を貼った杉製板を２３°の角度で傾斜させて設置した。
この杉製板上に作業者が乗って足踏みを万遍なく行なった。作業者の体重は約６０ｋｇであり、スニーカーを着用していた。
塩化ビニール製の散水管の長手方向に等間隔で孔を開け、この散水管を板２の上端の辺に沿って水平に配置した。
上記足踏み後、散水管に水を送り、該散水管の孔から防水遮熱シート１０上に散水した。水の流量は、降水量換算で防水遮熱シート１０の面積１ｍ２あたり１５０ｍｍ／ｈｒであった。散水時間は３０分間であった。
散水後、ステープル４を全て引き抜いて防水遮熱シート１０を剥がし、防水遮熱シート１０の裏面及び板２の上面の濡れを調べたところ、３つのサンプルすべてについて、濡れは確認されなかった。
また、上記足踏み工程を省略し、それ以外は上記と同様にして散水試験を行なったところ、３つのサンプルすべてについて、濡れは確認されなかった。
これによって、防水遮熱シート１０が十分な止水性能を有することが確認された。また、足踏みによる防水遮熱シート１０の止水性能への影響は殆どないことが確認された。
【産業上の利用可能性】
【００５８】
本発明は、例えば家屋の屋根等に適用可能である。
【符号の説明】
【００５９】
１      屋根（構造体）
２      野地板（下地材）
３      屋根葺き材（外装材）
４      ステープル（固定手段）
４Ｂ    釘（固定手段）
１０    防水遮熱シート
１１    防水シート層
１２    遮熱シート層
１２ａ  基層
１２ｂ  反射膜
１３    不織布層
２０，３０，４０，５０，６０  通気確保層
２９，３９，４９，５９，６９  通気路
【図１】
2014211070.tif 000003
【図２】
2014211070.tif 000004
【図３】
2014211070.tif 000005
【図４】
2014211070.tif 000006
【図５】
2014211070.tif 000007
【図６】
2014211070.tif 000008
【図７】
2014211070.tif 000009
【図８】
2014211070.tif 000010
【図９】
2014211070.tif 000011
【図１０】
2014211070.tif 000012
【図１１】
2014211070.tif 000013